(57)【特許請求の範囲】
【請求項１】
球の発射装置を操作する発射ハンドルが設けられた開閉体と、遊技盤が設けられると共に、前記開閉体が開閉可能に取付けられる内枠と、を有するパチンコ機において、
前記開閉体に固定された金属製の補強板に前記発射ハンドルが固定され、前記補強板が、前記内枠に設けられたロック部材にロックされると共に、
前記補強板に形成された前記発射ハンドルの取付面が、前記遊技盤の面に対して右側へ傾斜し、かつ補強板の取付面が開閉体裏面に対して傾斜されることで前記発射ハンドルが右側に傾斜して取り付けられることを特徴とするパチンコ機。
【請求項２】
前記補強板には、前記内枠に設けられたロック部材にロックされるロック孔、並びに、前記ロック部材を前記ロック孔へ案内するガイド片が設けられていることを特徴とする請求項１記載のパチンコ機。
【発明の詳細な説明】
【０００１】
【発明の属する技術分野】
本発明はパチンコ機に係り、詳しくは、球の発射装置を操作する発射ハンドルが設けられた開閉体（通称一体皿）に、発射ハンドルを強固に取付けたパチンコ機に関する。
【０００２】
【従来の技術】
図５に示すように、パチンコ機６０には、賞球払出装置から払い出された遊技球（貸球）や賞球を貯留して発射装置（図示省略）へ送る球皿部６２、発射装置を操作する発射ハンドル６６、及び灰皿６８が設けられた開閉体６４を備えたものがある。
【０００３】
ところが、発射ハンドル６６は樹脂製の開閉体６４の板面部６４Ａにねじで直接固定されているため、遊技者が興奮して発射ハンドル６６を強く押し引きすると、発射ハンドル６６の取付部に負担が掛かり、取付部にヒビＣが入ったり、又は開閉体６４と内枠７０との間に生じた隙間からピアノ線Ｗを挿入されゴト行為をされる恐れがある。
【０００４】
【発明が解決しようとする課題】
本発明は上記事実を考慮して、発射ハンドルの取付部に負担を掛けず、また、内枠と開閉体を強固に固定することを課題とする。
【０００５】
【課題を解決するための手段】
本発明は、球の発射装置を操作する発射ハンドルが設けられた開閉体と、遊技盤が設けられると共に、前記開閉体が開閉可能に取付けられる内枠と、を有するパチンコ機において、前記開閉体に固定された金属製の補強板に前記発射ハンドルが固定され、前記補強板が、前記内枠に設けられたロック部材にロックされると共に、前記補強板に形成された前記発射ハンドルの取付面が、前記遊技盤の面に対して右側へ傾斜し、かつ補強板の取付面が開閉体裏面に対して傾斜されることで前記発射ハンドルが右側に傾斜して取り付けられることを特徴としている。
【０００６】
上記構成では、開閉体に金属製の補強板が固定されており、この補強板に発射ハンドルが固定されているため、発射ハンドルを強く押し引きしても、従来のように、発射ハンドルの取付部である開閉体の板面に応力が集中せず、破損したり、ヒビが入ることがない。
【０００７】
また、上記構成では、発射ハンドルを遊技盤の面に対して右側に傾かせることができるので、右利きの遊技者を考えた場合、身体を捻らないでも、発射ハンドルを楽に把持でき疲れない。
【０００９】
上記構成では、補強板が内枠に設けられたロック部材にロックされているので、発射ハンドルを介して一体皿を強く引いても、一体皿と内枠との間に隙間が生じない。このため、ピアノ線等を差し込んでゴト行為を行うことができない。
【００１０】
本発明において、前記補強板には、前記内枠に設けられたロック部材にロックされるロック孔、並びに、前記ロック部材を前記ロック孔へ案内するガイド片が設けられていることを特徴としている。
【００１１】
【発明の実施の形態】
以下、図面を参照して本発明の実施の形態を説明する。
（パチンコ機の概略説明）
図１〜図３に示す、本実施形態に係るパチンコ機１０は、発射装置２２を遊技盤２８の左側下方に配置して遊技球を上方に発射する機種である。
【００１２】
パチンコ機１０は島に取付けるための外枠１２を備えている。外枠１２の前面には、窓部を有する額縁状の内枠１４の一側部が開閉可能に取付けられている。
【００１３】
内枠１４の窓部には、交換可能とされた遊技盤２８が窓部を塞ぐように設置されている。遊技盤２８の盤面に、ガイドレール３４に囲まれた遊技領域が形成されている。遊技領域には、特別図柄表示装置や大入賞口（変動入賞装置）等の役物、始動口、入賞口、アウト口が配置されている。
【００１４】
また、内枠１４の縦枠には、ガラス１８が嵌め込まれたガラス枠２０が開閉可能に取付けられている。このガラス枠２０と内枠１４は、内枠１４の他側部に設けられた施錠装置（シリンダ）１６により施錠され、ガラス１８で遊技領域が閉塞される。
【００１５】
ガラス枠２０の下方位置には、パチンコ機本体内の賞球払出装置から払い出された遊技球（貸球）や賞球を貯留して発射装置２２へと誘導する球皿部２４を備えた開閉体２６が内枠１４の縦枠に開閉可能に取付けられている。なお、本実施の形態は、上記の如く各機能部品が取り付けられているため、以下、開閉体２６を「一体皿２６」という。
【００１６】
一体皿２６の前面には、左側下部に灰皿３２が配置され、右側下部には発射装置２２から発射する遊技球の飛距離を調整するための発射ハンドル３０が設けられている。
（発射ハンドルの固定構造）
図１及び図４に示すように、発射ハンドル３０が固定される一体皿２６の板面部２６Ａの左側部には上下に軸受け部３６が形成されている。この軸受け部３６には、内枠１４に設けられたヒンジ受け３８を貫通するピン（図示省略）が係合して、一体皿２６を内枠１４に対して開閉可能に連結する。
【００１７】
また、一体皿２６の裏面の自由端側には、略Ｌ字状の金属製の補強板４０がネジ４１で固定されている。この補強板４０には、発射ハンドル３０の胴体部３０Ａを固定するためのねじ孔４２が形成されており、このねじ孔４２が、一体皿２６の板面部２６Ａに設けられた円形の取付穴４４と対応している。
【００１８】
このような構成により、取付穴４４へ発射ハンドル３０の胴体部３０Ａを差し込んで、ねじ孔４２に貫通したねじ４６で胴体部３０Ａを補強板４０に固定する。
【００１９】
このように、発射ハンドル３０をプラスチック製の一体皿２６でなく、金属製の補強板４０に固定することで、遊技者がゲームに興奮して発射ハンドル３０を押したり引いたり、叩いたりしても、一体皿２６の取付部が破損するようなことがなくなる。
【００２０】
なお、補強板４０の胴体部３０Ａの取付面４０Ａは、正面から見て右方へ傾斜しているので、発射ハンドル３０の握り部３０Ｂが右斜めに傾斜するので、右利きの遊技者は楽な状態で握り部３０Ｂを把持することができる。
【００２１】
一方、補強板４０には、上下方向に矩形長状のロック孔４８が２つ形成されている。このロック孔４８は、一体皿２６が閉じられたとき、キャッチ板金（図示省略）に取付けられたフック状のロック部材５０に係止され、一体皿２６がロックされる。なお、ロック孔４８の下縁部には、ロック部材５０の下面をロック孔４８内へ案内するガイド片５２が内側へ折り込まれている。
【００２２】
また、キャッチ板金に設けられた複数のロック部材５０は、連動作動して一体皿２６及びガラス枠２０を内枠１４にロックする統一錠となっているため、発射ハンドル３０を強く引っ張っても内枠１２と一体皿２６との間に隙間が生じることがない。
【００２３】
このため、隙間からピアノ線やセル板等を挿入して不正な操作（ゴト行為）をされる恐れがなくなる。
【００２４】
【発明の効果】
本発明は上記構成としたので、発射ハンドルの取付部に負担が掛からず、また、内枠と開閉体を強固に固定することができる。
【図面の簡単な説明】
【図１】  本形態に係るパチンコ機の内枠、ガラス枠を開放した状態を示す分解斜視図である。
【図２】  本形態に係るパチンコ機の斜視図である。
【図３】  本形態に係るパチンコ機の正面図である。
【図４】  本形態に係るパチンコ機の発射ハンドルの取付部を示す裏面図である。
【図５】  従来のパチンコ機の斜視図である。
【符号の説明】
１４        内枠
２６        一体皿（開閉体）
３０        発射ハンドル
４０        補強板
４０Ａ      取付面
４８        ロック孔
５０        ロック部材
【図１】
0004643081.tif 000002
【図２】
0004643081.tif 000003
【図３】
0004643081.tif 000004
【図４】
0004643081.tif 000005
【図５】
0004643081.tif 000006